(57)【要約】【課題】吊下げ時における不意の衝撃や振動等により軸筒またはキャップが外れるようなことがない上、軸筒とキャップとの着脱を容易に行うことができる筆記具を提供する。【解決手段】軸筒１０とキャップ２０との何れか一方の部材から係合片部１１を突出させるとともに、他方の部材に、前記係合片部１１を係脱させる被係合部２１を形成している筆記具であって、前記係合片部１１は、前記他方の部材内へ挿入されるとともに軸筒求心方向へ弾性的に撓み可能な弾性片部１１ａの先端に、軸筒遠心方向へ突出する係合凸部１１ｂを設けてなり、前記被係合部２１は、前記他方の部材の周壁に貫通孔２１ａを形成し、該貫通孔２１ａに内側から挿入された前記係合片部１１の係合凸部１１ｂを露出させる。【選択図】　　　　　図１
2004090268.tif 000002
【特許請求の範囲】
【請求項１】
軸筒とキャップとの何れか一方の部材から係合片部を突出させるとともに、他方の部材に、前記係合片部を係脱させる被係合部を形成している筆記具であって、
前記係合片部は、前記他方の部材内へ挿入されるとともに軸筒求心方向へ弾性的に撓み可能な弾性片部の先端に、軸筒遠心方向へ突出する係合凸部を設けてなり、
前記被係合部は、前記他方の部材の周壁に貫通孔を形成し、該貫通孔に内側から挿入された前記係合片部の係合凸部を露出させることを特徴とする筆記具。
【請求項２】
上記被係合部は、上記係合片部の係合凸部を摺接させて上記貫通孔へ導く案内傾斜面を具備し、
該案内傾斜面は、上記係合片部を形成した上記一方の部材側へ行くにしたがって、軸筒遠心方向へ傾斜していることを特徴とする請求項１の筆記具。
【請求項３】
上記軸筒と上記キャップとの何れか一方の部材には、撓んだ際の上記係合片部に当接することで、上記係合片部の撓み量を制限する撓み制限部が設けられていることを特徴とする請求項１又は２記載の筆記具。
【請求項４】
軸筒と尾栓との何れか一方の部材から掛止片部を突出させるとともに、他方の部材には前記掛止片部を係脱させる被掛止孔を形成し、
前記掛止片部は、前記他方の部材内へ挿入されるとともに軸筒求心方向へ弾性的に撓む弾性片部の先端に、軸筒遠心方向へ突出する掛止凸部を設けてなり、
前記被掛止孔は、前記他方の部材の周壁に貫通形成され、内側から挿入された前記掛止凸部を露出させることを特徴とする請求項１乃至３何れか１項記載の筆記具。
【請求項５】
軸筒から上記係合片部を突出させるとともに、キャップに上記被係合部を形成している筆記具であって、
上記係合片部は、前記軸筒の後端開口部を覆う尾栓部と同軸筒の側壁に嵌め込まれる側壁部とを有する着脱可能なスペーサの前端部に、一体的に形成されていることを特徴とする請求項１乃至４何れか１項記載の筆記具。
【発明の詳細な説明】
【０００１】
【発明の属する技術分野】
本発明は、キャップが脱落しないようにした筆記具に関し、特に携帯電話やデジカメ等の携帯用電子機器のストラップに装着して吊り下げるのに適した筆記具に関するものである。
【０００２】
【従来の技術】
従来の筆記具は、軸筒の筆記先端側にキャップが嵌合されており、使用時にはキャップが軸方向へ引っ張られることで軸筒から外されるようになっている。
携帯電話やデジカメ等の携帯用電子機器に筆記具を具備するには、上記筆記具のキャップに、携帯用電子機器に付けられたストラップを結ぶための取付け孔を設け、使用時に軸筒のみを外して用いるようにすることが考えられる。
【０００３】
しかしながら、上記従来の筆記具では、携帯用電子機器のストラップに吊り下げられた状態で、不意の衝撃を受けた場合に、ストラップに結ばれたキャップから軸筒が外れてしまうことが懸念された。
そこで、例えば、意匠７２７２２６号公報に開示されている筆記具のように、ストラップ等を結ぶための取付け孔を有するキャップと軸筒とを螺合接続することにより、軸筒がキャップから容易に外れないようにしたものもあるが、この態様では、軸筒を回して取り外すのが面倒な上、吊り下げ時の振動により軸筒が回り外れてしまうという懸念もあった。
【０００４】
【発明が解決しようとする課題】
本発明は上記従来事情に鑑みてなされたものであり、その目的とする処は、不意の衝撃や振動等により軸筒またはキャップが外れるようなことがない上、軸筒とキャップとの着脱を容易に行うことができる筆記具を提供することにある。
【０００５】
【課題を解決するための手段】
上記課題を解決するために第一の発明は、軸筒とキャップとの何れか一方の部材から係合片部を突出させるとともに、他方の部材に、前記係合片部を係脱させる被係合部を形成している筆記具であって、前記係合片部は、前記他方の部材内へ挿入されるとともに軸筒求心方向へ弾性的に撓み可能な弾性片部の先端に、軸筒遠心方向へ突出する係合凸部を設けてなり、前記被係合部は、前記他方の部材の周壁に貫通孔を形成し、該貫通孔に内側から挿入された前記係合片部の係合凸部を露出させることを特徴とする。
【０００６】
更に、第二の発明では、上記被係合部は、上記係合片部の係合凸部を摺接させて上記貫通孔へ導く案内傾斜面を具備し、該案内傾斜面は、上記係合片部を形成した上記一方の部材側へ行くにしたがって、軸筒遠心方向へ傾斜していることを特徴とする。
【０００７】
更に、第三の発明では、上記軸筒と上記キャップとの何れか一方の部材には、撓んだ際の上記係合片部に当接することで、上記係合片部の撓み量を制限する撓み制限部が設けられていることを特徴とする。
【０００８】
更に、第四の発明では、軸筒と尾栓との何れか一方の部材から掛止片部を突出させるとともに、他方の部材には前記掛止片部を係脱させる被掛止孔を形成し、前記掛止片部は、前記他方の部材内へ挿入されるとともに軸筒求心方向へ弾性的に撓む弾性片部の先端に、軸筒遠心方向へ突出する掛止凸部を設けてなり、前記被掛止孔は、前記他方の部材の周壁に貫通形成され、内側から挿入された前記掛止凸部を露出させることを特徴とする。
【０００９】
また、第五の発明では、軸筒から上記係合片部を突出させるとともに、キャップに上記被係合部を形成している筆記具であって、上記係合片部は、前記軸筒の後端開口部を覆う尾栓部と同軸筒の側壁に嵌め込まれる側壁部とを有する着脱可能なスペーサの前端部に、一体的に形成されていることを特徴とする。
【００１０】
【発明の実施の形態】
以下、本発明の実施の形態を図面に基づいて説明する。
この筆記具Ａ１は、係合片部１１を有する軸筒１０と、該軸筒１０に被係合部２１を係脱させるキャップ２０と、軸筒１０の後端に着脱される尾栓３０とを備え、軸筒１０に交換可能にリフィール４０を内在しているボールペンである。
【００１１】
軸筒１０は、略横断面矩形筒状を呈し、その前端面１０ａから係合片部１１及び先口部１２を突出させるとともに、後端側壁面には、後述する尾栓３０を掛止するための被掛止孔１３を貫通形成してなり、前記係合片部１１を弾性的に撓ませるように、ポリアセタール（ＰＯＭ）等の強靭性に優れた樹脂材料から一体成形されている。
【００１２】
係合片部１１は、軸筒１０の前端面１０ａから軸方向前方へ突出した弾性片部１１ａの先端に、軸筒遠心方向（図１における軸心の左右方向）へ突出する係合凸部１１ｂを形成してなり、先口部１２を挟むようにして左右対称に二つ設けられる。
【００１３】
弾性片部１１ａは、その先端側が弾性的に軸筒求心方向（軸心方向）へ撓み、且つキャップ２０内へ挿入されるように、適度な長さに形成されている。
【００１４】
係合凸部１１ｂは、その先端側における外側の面を、軸筒求心方向へ傾斜させた案内傾斜面１１ｂ１としている。
該案内傾斜面１１ｂ１は、係合片部１１がキャップ２０内へ挿入される際に、キャップ２０の開口端内縁部２０ａに摺接することで、係合片部１１の先端側を軸心方向へ徐々に撓ます。
【００１５】
また、同案内傾斜面１１ｂ１は、係合片部１１がキャップ２０内から外部へ抜き出される際には、撓んだ係合片部１１が復帰する際の弾発力により、キャップ２０を軸後方へ導く。
すなわち、撓んだ係合片部１１が復帰する際、係合凸部１１ｂは軸筒遠心方向へ変位しようとするが、係合凸部１１ｂの案内傾斜面１１ｂ１がキャップ２０の開口端内縁部２０ａに当接している状態（図１（ｂ）参照）においては、係合凸部１１ｂは、案内傾斜面１１ｂ１を開口端内縁部２０ａで滑らすことにより、キャップ２０から離れる方向へ移動させられる。
【００１６】
軸筒１０前端の先口部１２は、略円筒状を呈し、その内周面にリフィール４０の前端側を支持している。
【００１７】
キャップ２０は、軸筒１０に対し着脱可能な略横断面矩形筒状を呈し、その後端側に被係合部２１を、内部に撓み制限部２２を、前端側に第一及び第二ストラップ取付け孔２３，２４を一体に形成している。
【００１８】
被係合部２１は、キャップ２０の後端側の側壁に貫通孔２１ａを形成するとともに、同側壁の内面における貫通孔２１ａよりも後端側に案内傾斜面２１ｂを形成してなり、軸筒１０の左右の係合片部１１，１１に対応するように、左右の側壁にそれぞれ配設されている。
【００１９】
貫通孔２１ａは、係合片部１１の係合凸部１１ｂを係合可能で、且つキャップ２０の外方から指で押圧可能な大きさに開口された角孔であり、該貫通孔２１ａに内側から挿入された係合凸部１１ｂの外側面をキャップ２０外に露出させている。
【００２０】
案内傾斜面２１ｂは、軸筒１０側へ行くにしたがって、軸筒遠心方向へ傾斜する面であり、軸筒１０がキャップ２０に接続される際に、軸筒１０前端における係合片部１１の係合凸部１１ｂを摺接させて貫通孔２１ａへ導き、軸筒１０がキャップ２０から外される際には、弾発力により先端側を広げようとする両係合片部１１，１１をキャップ２０後方へ移動させる。
【００２１】
すなわち、軸筒１０がキャップ２０から外される際、両係合片部１１，１１が両外方側から指で押される。すると、両係合片部１１，１１は、両係合凸部１１ｂ，１１ｂの両案内傾斜面１１ｂ１，１１ｂ１が指面で滑ることで、軸後方へ移動する。そして、両係合凸部１１ｂ，１１ｂが両案内傾斜面２１ｂに当接すると、両係合凸部１１ｂ，１１ｂは、両弾性片部１１ａ，１１ａの弾発力により広がろうとする力で、両案内傾斜面２１ｂ，２１ｂ上を軸後方へ滑る。
更に、上述したように、係合凸部１１ｂの案内傾斜面１１ｂ１がキャップ２０の開口端内縁部２０ａに当接した状態（図１（ｂ）参照）においては、係合凸部１１ｂは、案内傾斜面１１ｂ１を開口端内縁部２０ａで滑らすことにより、キャップ２０から離れる方向へ移動させられる。
したがって、両係合片部１１，１１は、弾性的に撓まれた両弾性片部１１ａ，１１ａの弾発力に補助されながら、被係合部２１から外されることになる。
【００２２】
撓み制限部２２は、キャップ２０内で軸筒１０の係合片部１１と略平行になるように、軸筒１０の先口部１２を挟んで左右対称に２枚配置された板状の部位であり、軸筒１０がキャップ２０から外される際に、係合片部１１の撓み量を制限する。
すなわち、軸筒１０がキャップ２０から外される際、キャップ２０の両側面から露出した両係合片部１１が指で押圧される。その際に撓んだ各係合片部１１は、撓み制限部２２に当接することで、その撓み量が制限されて、撓み過ぎによる破損が防止されることになる。
【００２３】
また、同撓み制限部２２は、軸筒１０がキャップ２０に接続される際に、軸筒１０の先口部１２をキャップ２０内へ略同軸状に導くことにより、左右の係合片部１１，１１を略同時に左右の被係合部２１，２１に係合させるため、一方の係合片部１１のみが被係合部２１に係合されてしまう不安定な係合状態となるのを防止する。
【００２４】
第一及び第二ストラップ取付け孔２３，２４は、携帯電子機器のストラップＳ１を取り付けるための孔であり、使用者によって選択的に用いられるようにしている。
【００２５】
第一ストラップ取付け孔２３は、被係合部２１の貫通孔２１ａに連通することで、ストラップＳ１の結び目と反対側の端部が貫通孔２１ａからキャップ２０内に挿入され該第一ストラップ取付け孔２３から外部へ抜け出されるようにしている。
したがって、この第一ストラップ取付け孔２３によれば、ストラップＳ１の結び目をキャップ２０内に隠すことができ、当該筆記具Ａ１の外観上の体裁を向上することができる。
【００２６】
第二ストラップ取付け孔２４は、当該筆記具Ａ１の正面側から背面側へ貫通する孔であり、例えば結び目の無いボールチェーンストラップＳ２（図４（ａ）参照）を取り付けるのに適している。
【００２７】
尾栓３０は、軸筒１０の後端開口部を覆う正面視略Ｕ字状を呈し、その一端側（図１における右端側）に、軸筒１０内に掛止される掛止片部３１を軸方向前方へ突設するとともに、その他端側（図１における左端側）に、軸筒１０内に挿入され軸筒１０内壁面に当接される挿入部３２を突設し、また、内側面の軸心に沿う部位には、リフィール４０の後端を支持するためのリフィール支持部３３を突設している。
【００２８】
掛止片部３１は、軸筒１０の後端部内へ挿入されるとともに軸筒求心方向へ弾性的に撓む弾性片部３１ａの先端に、軸筒遠心方向へ突出する掛止凸部３１ｂを設けてなり、該掛止凸部３１ｂを、軸筒１０の被掛止孔１３に内側から挿入させ軸筒１０外に露出させる。
したがって、リフィール４０の交換等のために、軸筒１０から尾栓３０を外す際には、露出されている掛止凸部３１ｂを先細な治具等により押圧しながら、尾栓３０を後方へ引っ張ればよい。
【００２９】
尚、本実施の形態の好ましい一例によれば、掛止片部３１の着脱を容易にするために、掛止片部３１を尾栓３０の右端側（図１における右端側）に一箇所だけ設け、左端側を軸筒１０に掛止されない挿入部３２としているが、該挿入部３２を前記構成の掛止片部３１に置き換えて、掛止片部３１が二箇所に設けられるようにすることも可能である。
【００３０】
リフィール支持部３３は、リフィール４０の後端側を嵌合すべく軸筒１０と同軸に形成された筒部３３ａの内面前端側に、リフィール４０を押圧するための押圧リブ３３ａ１を複数形成するとともに、同筒部３３ａの内面後端側に、リフィール４０の後端面を受ける複数の受けリブ３３ａ２を形成してなる（図２参照）。
【００３１】
押圧リブ３３ａ１は、筒部３３ａの内面から軸筒求心方向へ突出するとともに軸方向へ延びるリブであり、その軸筒求心方向の突端面により、リフィール４０の外周面を押圧している。
また、受けリブ３３ａ２は、筒部３３ａの内面から軸筒求心方向へ突出するとともに軸方向へ延びるリブであり、その軸方向の前端部により、リフィール４０の後端面を受けている。
【００３２】
上記構成のリフィール支持部３３によれば、リフィール支持部３３の内周面とリフィール４０の外周面との間に、クリアランスｃが形成され、該クリアランスｃによって外部とリフィール４０内との通気を可能にする。
すなわち、クリアランスｃは、リフィール４０の後端開口部と連通するとともに、軸筒１０の先口部１２内周面とリフィール４０外周面との隙間、及び先口部１２の前端部内周面とリフィール４０前端側のチップ４１外周面との隙間と連通することで、外部の空気を、軸筒１０の前端側からリフィール４０の後端開口部へ流通させる。
【００３３】
而して、上記構成の筆記具Ａ１によれば、図３に示すように、携帯電話等の携帯用電子機器ＢのストラップＳ１に、容易に取付け可能である。
そして、軸筒１０とキャップ２０とが接続されている状態においては、軸筒１０における係合片部１１の係合凸部１１ｂが軸筒遠心方向へ突出して被係合部２１の貫通孔２１ａに係合するため、不意の衝撃や振動により軸筒１０が外れてしまうことがない。
また、軸筒１０をキャップ２０から外す際には、キャップ２０の両貫通孔２１ａ，２１ａから露出する両係合凸部１１ｂ，１１ｂを指で摘むことにより、軸筒１０を容易に外すことができる。
尚、図示例によれば、ストラップＳ１を第二ストラップ取付け孔２４に取り付けているが、使用者の選択によりストラップＳ１を第一ストラップ取付け孔２３に取り付けることも可能である。
【００３４】
次に、上記筆記具Ａ１の使用状態の他例、及び本発明に係わる他の実施の形態について説明する。
図４（ａ）は、上記構成の筆記具Ａ１に、上述した紐状のストラップＳ１に代えてボールチェーンストラップＳ２を取り付けた使用状態を示す。
また、図４（ｂ）に示す筆記具Ａ２は、キャップ２０の先端側の外観形状を、上記筆記具Ａ１のものと異なる形状に変えた態様であり、第二ストラップ取付け孔２４に紐状のストラップＳ１を取り付けている。
また、図４（ｃ）に示す筆記具Ａ３は、キャップ２０の先端側の外観形状を、上記筆記具Ａ１のものと異なる形状に変えた態様であり、該キャップ２０は、正面側から裏面側へ貫通する角孔状のストラップ取付け孔２４に、帯状のストラップＳ３を取り付けている。
【００３５】
また、図５（ａ）に示す筆記具Ａ４は、上記筆記具Ａ１における係合片部１１を、先端側が略Ｕ字状に曲がった形状の係合片部１１’に置き換えることで、該係合片部１１’の弾力性を向上した態様である。
また、図５（ｂ）に示す筆記具Ａ５は、筆記具Ａ１における係合片部１１と先口部１２との配置関係を逆にし、キャップ２０に係合片部１１を設けるとともに軸筒１０に被係合部２１を設けた態様であり、軸筒１０の前端側に指に触れる係合片部１１が無いため、筆記時の把持感触を向上することができる。
【００３６】
尚、前記筆記具Ａ５においては、キャップ２０の左側壁に形成される貫通孔２５は、第一ストラップ取付け孔２３と協働して、キャップ２０内にストラップを挿通させるように作用する。また、軸筒１０の前端側内部には、係合片部１１の撓み量を抑制する撓み制限部２２が設けられる。また、キャップ２０内の符号２６は、先口部１２をキャップ２０内へ同軸状に導く案内片として作用する。
【００３７】
次に、図６（ａ）及び（ｂ）に示す態様の筆記具Ａ６は、リフィール４０を収納する軸筒５０と、該軸筒５０の後端開口部を覆い両側面に嵌め込まれるスペーサ６０と、上記筆記具Ａ１のものと同構成のキャップ２０とを具備してなり、前記スペーサ６０に、前記尾栓３０及び上記係合片部１１の作用を兼ね備えている。
【００３８】
軸筒５０は、上記筆記具Ａ１の軸筒１０から係合片部１１を省くとともに、両側壁にスペーサ６０を嵌め込むための縦溝５１，５１を形成してなる。
【００３９】
スペーサ６０は、正面視略Ｕ字状を呈し、軸筒５０の後端開口部を覆う尾栓部６１と、軸筒５０の両側壁に嵌め込まれる左右の側壁部６２，６２と、両側壁部６２，６２の前端部からそれぞれ前方へ延出された左右の係合片部６３，６３とから一体成形されている。
【００４０】
尾栓部６１は、その軸心側に横断面十字状の受け部６１ａを突設しており、軸筒５０の後端開口部を閉鎖した状態で、リフィール４０の後端面を受ける。
また、左右の側壁部６２，６２は、軸筒５０の左右の縦溝５１，５１内に嵌め込まれて軸筒５０の両側壁を構成する。
また、係合片部６３は、上記筆記具Ａ１における係合片部１１と同構成に、弾性片部６３ａ、及び係合凸部６３ｂ、案内傾斜面６３ｂ１を形成してなる。
【００４１】
【発明の効果】
本発明は、以上説明したように構成されているので、以下に記載されるような作用効果を奏する。
第一の発明によれば、軸筒とキャップとを接続する際には、一方の部材から突出する係合片部を他方の部材内へ挿入し、係合片部の係合凸部を被係合部の貫通孔に係合させる。この係合状態においては、前記係合凸部が軸筒遠心方向へ突出して前記貫通孔に係合しているため、軸筒またはキャップが軸方向へ引っ張られたとしても外れることがない。
また、軸筒とキャップとを分離する際には、被係合部の貫通孔から露出されている係合凸部を押せば、係合片部の弾性片部が弾性的に軸筒求心方向へ撓み、係合凸部と貫通孔との係合状態が解除される。
したがって、吊下げ時における不意の衝撃や振動等により軸筒またはキャップが外れるようなことがない上、軸筒とキャップとの着脱を容易に行うことができる。
【００４２】
その上、第二の発明によれば、係合片部を被係合部から外す際、係合凸部は、撓んだ係合片部が復帰する際の弾発力により、軸筒遠心方向へ傾斜する案内傾斜面を滑り、被係合部の外部へ抜けることになる。したがって、キャップの取り外しを一層容易にすることがきる。
【００４３】
しかも、第三の発明によれば、撓み制限部により係合片部の撓み量が制限されるため、撓み過ぎによる係合片部の破損を防止することができる。
【００４４】
更に、第四の発明によれば、吊下げ時における不意の衝撃や振動等により容易に外れるようなことがない着脱可能な尾栓を具備することができ、尾栓の着脱によりリフィール等の内部部品の交換を容易にすることができる。
【００４５】
更に、第五の発明によれば、スペーサに尾栓及び係合片部の双方の作用を兼ね備えることで、軸筒、キャップ、スペーサの各部品を簡素な構造に形成することができ、ひいては各部品の成形性及び生産性を向上することができる。
【図面の簡単な説明】
【図１】本発明に係わる筆記具の一例を示す断面図であり、（ａ）は軸筒とキャップとが接続された状態、（ｂ）は軸筒とキャップとが分離された状態を示す。
【図２】同筆記具の後端側を示す要部拡大側面図である。
【図３】同筆記具の使用状態図である。
【図４】（ａ）は同筆記具のキャップにボールチェーンストラップを取り付けた状態の正面図であり、（ｂ）と（ｃ）は、それぞれキャップの他例を示す正面図である。
【図５】係合片部及び被係合部の他例を、（ａ）と（ｂ）のそれぞれに示す要部正面図である。
【図６】本発明に係わる筆記具の他例を示し、（ａ）は軸筒とキャップを分離した状態の正面図、（ｂ）は分解正面図である。
【符号の説明】
１０：軸筒　　　　　　　　　　１１：係合片部
１１ａ：弾性片部　　　　　　　１１ｂ：係合凸部
１１ｂ１：案内傾斜面　　　　　１３：被掛止孔
２２：撓み制限部　　　　　　　２０：キャップ
２１：被係合部　　　　　　　　２１ａ：貫通孔
３０：尾栓　　　　　　　　　　３１：掛止片部
３１ａ：弾性片部　　　　　　　３１ｂ：掛止凸部
６０：スペーサ　　　　　　　　６１：尾栓部
６２：側壁部　　　　　　　　　６３：係合片部
Ａ１：筆記具　　　　　　　　　Ｓ１：ストラップ
【図１】
2004090268.tif 000003
【図２】
2004090268.tif 000004
【図３】
2004090268.tif 000005
【図４】
2004090268.tif 000006
【図５】
2004090268.tif 000007
【図６】
2004090268.tif 000008